【手続補正書】
【提出日】平成17年4月22日(2005.4.22)
【手続補正１】
【補正対象書類名】明細書
【補正対象項目名】発明の名称
【補正方法】変更
【補正の内容】
【発明の名称】無線通信装置及び制御方法
【手続補正２】
【補正対象書類名】明細書
【補正対象項目名】特許請求の範囲
【補正方法】変更
【補正の内容】
【特許請求の範囲】
【請求項１】
双方向通信が可能な第１の無線通信手段により受信された制御信号に応じた動作を行うだけでなく、片方向通信が可能な第２の無線通信手段により受信された制御信号に応じた動作を行う無線通信装置であって、
前記第１の無線通信手段により受信された制御信号と前記第２の無線通信手段により受信された制御信号とが競合しないように、前記第１の無線通信手段により受信された制御信号を前記第２の無線通信手段により受信された制御信号よりも優先できるようにしたことを特徴とする無線通信装置。
【請求項２】
双方向通信が可能な第１の無線通信手段により受信された制御信号に応じた動作を行うだけでなく、片方向通信が可能な第２の無線通信手段により受信された制御信号に応じた動作を行う無線通信装置であって、
前記第１の無線通信手段により受信された制御信号に応じた動作を行うか否かの判定を、前記第２の無線通信手段により受信された制御信号に応じた動作を行うか否かの判定よりも先に行えるようにしたことを特徴とする無線通信装置。
【請求項３】
第１の無線通信手段により受信された制御信号に応じた動作を行うだけでなく、前記第１の無線通信手段とは異なる第２の無線通信手段により受信された制御信号に応じた動作を行う無線通信装置であって、
前記第１の無線通信手段により受信された制御信号と前記第２の無線通信手段により受信された制御信号とが競合しないように、前記第１の無線通信手段により受信された制御信号を前記第２の無線通信手段により受信された制御信号よりも優先できるようにしたことを特徴とする無線通信装置。
【請求項４】
第１の無線通信手段により受信された制御信号に応じた動作を行うだけでなく、前記第１の無線通信手段とは異なる第２の無線通信手段により受信された制御信号に応じた動作を行う無線通信装置であって、
前記第１の無線通信手段により受信された制御信号に応じた動作を行うか否かの判定を、前記第２の無線通信手段により受信された制御信号に応じた動作を行うか否かの判定よりも先に行えるようにしたことを特徴とする無線通信装置。
【請求項５】
前記第１の無線通信手段が前記無線通信装置に接続されているか否かを判定し、
前記第１の無線通信手段が前記無線通信手段に接続されていないと判定した場合は、前記第２の無線通信手段により受信された制御信号に応じた動作を行うか否かの判定を行えるようにしたことを特徴とする請求項１から４の何れかに記載の無線通信装置。
【請求項６】
前記無線通信装置を操作するための操作手段をさらに有し、
前記操作手段に対して行われた操作に応じた動作を行うか否かの判定を、前記第１の無線通信手段により受信された制御信号に応じた動作を行うか否かの判定よりも先に行えるようにしたことを特徴とする請求項１から５の何れかに記載の無線通信装置。
【請求項７】
前記第１の無線通信手段は、スペクトラム拡散を用いて通信を行う無線通信手段であることを特徴とする請求項１から６の何れかに記載の無線通信装置。
【請求項８】
前記第２の無線通信手段は、赤外線を用いて通信を行う無線通信手段であることを特徴とする請求項１から７の何れかに記載の無線通信装置。
【請求項９】
前記無線通信装置は、撮像素子を用いて映像信号を生成する機能を有することを特徴とする請求項１から８の何れかに記載の無線通信装置。
【請求項１０】
双方向通信が可能な第１の無線通信手段により受信された制御信号に応じた動作を行うだけでなく、片方向通信が可能な第２の無線通信手段により受信された制御信号に応じた動作を行う無線通信装置の制御方法であって、
前記第１の無線通信手段により受信された制御信号と前記第２の無線通信手段により受信された制御信号とが競合しないように、前記第１の無線通信手段により受信された制御信号を前記第２の無線通信手段により受信された制御信号よりも優先できるようにしたことを特徴とする制御方法。
【請求項１１】
双方向通信が可能な第１の無線通信手段により受信された制御信号に応じた動作を行うだけでなく、片方向通信が可能な第２の無線通信手段により受信された制御信号に応じた動作を行う無線通信装置の制御方法であって、
前記第１の無線通信手段により受信された制御信号に応じた動作を行うか否かの判定を、前記第２の無線通信手段により受信された制御信号に応じた動作を行うか否かの判定よりも先に行えるようにしたことを特徴とする制御方法。
【請求項１２】
第１の無線通信手段により受信された制御信号に応じた動作を行うだけでなく、前記第１の無線通信手段とは異なる第２の無線通信手段により受信された制御信号に応じた動作を行う無線通信装置の制御方法であって、
前記第１の無線通信手段により受信された制御信号と前記第２の無線通信手段により受信された制御信号とが競合しないように、前記第１の無線通信手段により受信された制御信号を前記第２の無線通信手段により受信された制御信号よりも優先できるようにしたことを特徴とする制御方法。
【請求項１３】
第１の無線通信手段により受信された制御信号に応じた動作を行うだけでなく、前記第１の無線通信手段とは異なる第２の無線通信手段により受信された制御信号に応じた動作を行う無線通信装置の制御方法であって、
前記第１の無線通信手段により受信された制御信号に応じた動作を行うか否かの判定を、前記第２の無線通信手段により受信された制御信号に応じた動作を行うか否かの判定よりも先に行えるようにしたことを特徴とする制御方法。
【請求項１４】
前記第１の無線通信手段が前記無線通信装置に接続されているか否かを判定し、
前記第１の無線通信手段が前記無線通信手段に接続されていないと判定した場合は、前記第２の無線通信手段により受信された制御信号に応じた動作を行うか否かの判定を行えるようにしたことを特徴とする請求項１０から１３の何れかに記載の制御方法。
【請求項１５】
前記無線通信装置を操作するための操作手段をさらに有し、
前記操作手段に対して行われた操作に応じた動作を行うか否かの判定を、前記第１の無線通信手段により受信された制御信号に応じた動作を行うか否かの判定よりも先に行えるようにしたことを特徴とする請求項１０から１４の何れかに記載の制御方法。
【請求項１６】
前記第１の無線通信手段は、スペクトラム拡散を用いて通信を行う無線通信手段であることを特徴とする請求項１０から１５の何れかに記載の制御方法。
【請求項１７】
前記第２の無線通信手段は、赤外線を用いて通信を行う無線通信手段であることを特徴とする請求項１０から１６の何れかに記載の制御方法。
【請求項１８】
前記無線通信装置は、撮像素子を用いて映像信号を生成する機能を有することを特徴とする請求項１０から１７の何れかに記載の制御方法。
【手続補正３】
【補正対象書類名】明細書
【補正対象項目名】０００１
【補正方法】変更
【補正の内容】
【０００１】
【発明の属する技術分野】
本発明は、無線通信装置及び制御方法に関するものである。
【手続補正４】
【補正対象書類名】明細書
【補正対象項目名】００１４
【補正方法】変更
【補正の内容】
【００１４】
そこで、本発明は、複数の制御手段の無線による制御を可能にするとともに、各制御手段からの制御信号の競合を防げるようにすることを目的とする。
【手続補正５】
【補正対象書類名】明細書
【補正対象項目名】００１５
【補正方法】変更
【補正の内容】
【００１５】
【課題を解決するための手段】
本発明に係る無線通信装置の一つは、例えば、双方向通信が可能な第１の無線通信手段により受信された制御信号に応じた動作を行うだけでなく、片方向通信が可能な第２の無線通信手段により受信された制御信号に応じた動作を行う無線通信装置であって、前記第１の無線通信手段により受信された制御信号と前記第２の無線通信手段により受信された制御信号とが競合しないように、前記第１の無線通信手段により受信された制御信号を前記第２の無線通信手段により受信された制御信号よりも優先できるようにしたことを特徴とする。
【手続補正６】
【補正対象書類名】明細書
【補正対象項目名】００１６
【補正方法】変更
【補正の内容】
【００１６】
本発明に係る無線通信装置の一つは、例えば、双方向通信が可能な第１の無線通信手段により受信された制御信号に応じた動作を行うだけでなく、片方向通信が可能な第２の無線通信手段により受信された制御信号に応じた動作を行う無線通信装置であって、前記第１の無線通信手段により受信された制御信号に応じた動作を行うか否かの判定を、前記第２の無線通信手段により受信された制御信号に応じた動作を行うか否かの判定よりも先に行えるようにしたことを特徴とする。
【手続補正７】
【補正対象書類名】明細書
【補正対象項目名】００１７
【補正方法】変更
【補正の内容】
【００１７】
本発明に係る無線通信装置の一つは、例えば、第１の無線通信手段により受信された制御信号に応じた動作を行うだけでなく、前記第１の無線通信手段とは異なる第２の無線通信手段により受信された制御信号に応じた動作を行う無線通信装置であって、前記第１の無線通信手段により受信された制御信号と前記第２の無線通信手段により受信された制御信号とが競合しないように、前記第１の無線通信手段により受信された制御信号を前記第２の無線通信手段により受信された制御信号よりも優先できるようにしたことを特徴とする。
【手続補正８】
【補正対象書類名】明細書
【補正対象項目名】００１８
【補正方法】変更
【補正の内容】
【００１８】
本発明に係る無線通信装置の一つは、例えば、第１の無線通信手段により受信された制御信号に応じた動作を行うだけでなく、前記第１の無線通信手段とは異なる第２の無線通信手段により受信された制御信号に応じた動作を行う無線通信装置であって、前記第１の無線通信手段により受信された制御信号に応じた動作を行うか否かの判定を、前記第２の無線通信手段により受信された制御信号に応じた動作を行うか否かの判定よりも先に行えるようにしたことを特徴とする。
【手続補正９】
【補正対象書類名】明細書
【補正対象項目名】００１９
【補正方法】変更
【補正の内容】
【００１９】
本発明に係る制御方法の一つは、例えば、双方向通信が可能な第１の無線通信手段により受信された制御信号に応じた動作を行うだけでなく、片方向通信が可能な第２の無線通信手段により受信された制御信号に応じた動作を行う無線通信装置の制御方法であって、前記第１の無線通信手段により受信された制御信号と前記第２の無線通信手段により受信された制御信号とが競合しないように、前記第１の無線通信手段により受信された制御信号を前記第２の無線通信手段により受信された制御信号よりも優先できるようにしたことを特徴とする。
【手続補正１０】
【補正対象書類名】明細書
【補正対象項目名】００２０
【補正方法】変更
【補正の内容】
【００２０】
本発明に係る制御方法の一つは、例えば、双方向通信が可能な第１の無線通信手段により受信された制御信号に応じた動作を行うだけでなく、片方向通信が可能な第２の無線通信手段により受信された制御信号に応じた動作を行う無線通信装置の制御方法であって、前記第１の無線通信手段により受信された制御信号に応じた動作を行うか否かの判定を、前記第２の無線通信手段により受信された制御信号に応じた動作を行うか否かの判定よりも先に行えるようにしたことを特徴とする。
【手続補正１１】
【補正対象書類名】明細書
【補正対象項目名】００２１
【補正方法】変更
【補正の内容】
【００２１】
本発明に係る制御方法の一つは、例えば、第１の無線通信手段により受信された制御信号に応じた動作を行うだけでなく、前記第１の無線通信手段とは異なる第２の無線通信手段により受信された制御信号に応じた動作を行う無線通信装置の制御方法であって、前記第１の無線通信手段により受信された制御信号と前記第２の無線通信手段により受信された制御信号とが競合しないように、前記第１の無線通信手段により受信された制御信号を前記第２の無線通信手段により受信された制御信号よりも優先できるようにしたことを特徴とする。
【手続補正１２】
【補正対象書類名】明細書
【補正対象項目名】００２２
【補正方法】変更
【補正の内容】
【００２２】
本発明に係る制御方法の一つは、例えば、第１の無線通信手段により受信された制御信号に応じた動作を行うだけでなく、前記第１の無線通信手段とは異なる第２の無線通信手段により受信された制御信号に応じた動作を行う無線通信装置の制御方法であって、前記第１の無線通信手段により受信された制御信号に応じた動作を行うか否かの判定を、前記第２の無線通信手段により受信された制御信号に応じた動作を行うか否かの判定よりも先に行えるようにしたことを特徴とする。
【手続補正１３】
【補正対象書類名】明細書
【補正対象項目名】００４４
【補正方法】変更
【補正の内容】
【００４４】
【発明の効果】
以上説明したように、本発明によれば、複数の制御手段の無線による制御を可能にするとともに、各制御手段からの制御信号の競合を防ぐことができる。
【手続補正１４】
【補正対象書類名】明細書
【補正対象項目名】００４５
【補正方法】削除
【補正の内容】